(57)【特許請求の範囲】
【請求項１】
プールされた周波数を用いる複数のトランシーバを有する無線オフィス装置において、無線通信用のプールされた資源として使用されるべき使用可能な多数の無線周波数をトランシーバに自動的に割り当てる方法において、
各使用可能な空きの無線周波数用の干渉レベルを決定するステップと、
所定の閾値より上の干渉レベルを有するいかなる無線周波数を放棄するステップと、
前記無線オフィス装置の前記複数のトランシーバのどれにおいても使用される割り当て周波数として最低の干渉レベルを有する残りの使用可能な無線周波数を選択するステップとを有し、
前記放棄するステップは、前記干渉値と前記所定の閾値との差に依存する時間期間の間前記無線周波数を放棄する方法。
【請求項２】
前記決定するステップは、前記空きの無線周波数の各々ごとの受信信号強度を測定する、請求項１記載の方法。
【請求項３】
前記干渉値をフィルタリングするステップを更に有する、請求項１記載の方法。
【請求項４】
前記フィルタリングするステップは、それぞれの長短の時定数を使用して迅速緩慢のフィルタリングされた値を決定する、請求項３記載の方法。
【請求項５】
前記放棄するステップが、前記所定の閾値より上の迅速フィルタリングされた干渉値を有する無線周波数を放棄するステップを有する、請求項
４記載の方法。
【請求項６】
前記無線周波数が放棄された後に、前記干渉値が前記所定の閾値より上に残っている場合に前記時間期間を延長する、請求項１記載の方法。
【請求項７】
前記選択するステップは、割り当て周波数として最低の緩慢フィルタリングされた干渉値を有する残りの無線周波数を選択する、請求項４記載の方法。
【請求項８】
前記選択するステップは、割り当て周波数の干渉値が受け入れ可能な干渉閾値より上に有る場合にのみ割り当て周波数を選択可能無線周波数と置換する、請求項１記載の方法。
【請求項９】
前記選択するステップは、より低い干渉値を有する選択可能無線周波数とのみ割り当て周波数を置換する、請求項１記載の方法。
【請求項１０】
前記無線オフィス装置において制御チャネル周波数として使用される候補として前記割り当て周波数のうちの選択したものを指定するとともに前記候補から任務遂行制御チャネルを周期的に交代するステップとをさらに有する、請求項１記載の方法。
【請求項１１】
前記候補は、最低の干渉値を有する割り当て周波数から選択される、請求項１０記載の方法。
【請求項１２】
前記任務遂行制御チャネルは、ラウンドロビン方法で交代される、請求項１０記載の方法。
【請求項１３】
複数の使用可能な空きの無線周波数の各々ごとの干渉レベルを決定する測定手段と、
多くの割り当て無線周波数のうちの任意のものを用いて移動局と通信する複数のトランシーバと、
前記測定手段と前記複数のトランシーバとに作動接続されて、所定の閾値より上の干渉レベルを有する任意の無線周波数を放棄する第１の論理手段と、
前記複数のトランシーバのうちの任意のものにより、プールされた資源として使用されるべき割り当て無線周波数として最低の干渉レベルを有する残りの使用可能な無線周波数を選択する第２の論理手段とを有し、
前記第１の論理手段は、前記干渉値と前記所定の閾値との差に依存する時間期間の間前記無線周波数を放棄する、無線オフィス装置の自動周波数割り当て装置。
【請求項１４】
前記測定手段は、前記空きの無線周波数の各々ごとの受信信号強度を測定するように配置された、請求項１３記載の自動周波数割り当て装置。
【請求項１５】
前記干渉値をフィルタリングするフィルタを更に有する、請求項１３記載の自動周波数割り当て装置。
【請求項１６】
前記フィルタは、それぞれの長短の時定数を使用して迅速緩慢のフィルタリングされた値を決定する、請求項１５記載の自動周波数割り当て装置。
【請求項１７】
前記第１の論理手段は、前記所定の閾値より上の迅速フィルタリングされた干渉値を有する無線周波数を放棄する、請求項１６記載の自動周波数割り当て装置。
【請求項１８】
前記無線周波数が放棄された後に、前記干渉値が前記所定の閾値より上に残っている場合に前記時間を延長する、請求項１３記載の自動周波数割り当て装置。
【請求項１９】
前記第２の論理手段は、割り当て周波数として最低の緩慢なフィルタリングされた干渉値を有する残りの無線周波数を選択する、請求項１６記載の自動周波数割り当て装置。
【請求項２０】
前記第２の論理手段は、割り当て周波数の干渉値が受け入れ可能な干渉閾値より上に有る場合にのみ割り当て周波数を選択可能無線周波数と置換する、請求項１３記載の自動周波数割り当て装置。
【請求項２１】
前記第２の論理手段は、より低い干渉値を有する選択可能無線周波数とのみ割り当て周波数を置換する、請求項１３記載の自動周波数割り当て装置。
【請求項２２】
制御チャネル周波数として使用される候補として前記割り当て周波数のうちの選択したものを指定するとともに前記候補から任務遂行制御チャネルを周期的に交代する第３の論理手段をさらに有する、請求項１３記載の自動周波数割り当て装置。
【請求項２３】
前記候補は、最低の干渉値を有する割り当て周波数から選択される、請求項２２記載の自動周波数割り当て装置。
【請求項２４】
前記任務遂行制御チャネルは、ラウンドロビン方法で交代される、請求項２２記載の自動周波数割り当て装置。
【発明の詳細な説明】
【０００１】
（発明の分野）
この発明は、無線オフィス装置に関し、特に、自動周波数割り当て方法及び装置に関する。
【０００２】
（発明の背景）
セルラ方式の形をした無線通信システムは、大きな地理的領域を包含するように設計されている。このセルラ方式は、移動局とランドを基礎とするシステムとの間に空中インターフェースを提供する数多くのセルに分割される。各セルは、移動局と通信するための基地局を有している。これらの無線通信システムは、トラフィックチャネル用と制御チャネル用に使用される１組の周波数を維持している。周波数の計画は、任意の与えられた時にどの周波数を使用すべきかを決定するために必要である。自動周波数割り当てアルゴリズムは、効率的なサービスを提供するために各基地局に特定の周波数を割り当てる。
最近、セルラベースシステムの設計が、無線オフィス装置（ＷＯＳ）のような小さなシステムのための基礎として必要とされている。これらの無線オフィス装置は、戸外システムとも呼ばれる公衆セルラ方式とスペクトルを共有してもよい。公衆セルラ方式よりも規模が小さいので、無線オフィス装置は、規模のより小さい集中処理システムを利用している。ＷＯＳのユーザは、局部地域で通信するため無線中枢部で電力消費の少ないトランシーバを使用している。この無線中枢部は、基地局と考えることもできる。セルラ方式の周波数計画は、しばしばより小さな無線オフィス装置にとっては適当ではなくなる。周波数は、トランシーバ又は無線中枢部に割り当てられない。その代わり、周波数は、ＷＯＳにより割り当てられる。周波数は、ＷＯＳにおける全てのトランシーバ及び基地局にとって共通のプールされた資源である。従って、ＷＯＳで動作する移動局は、同一周波数を別の基地局の別のトランシーバに渡した後でもそれを保持してよい。移動局は、再同調の必要はない。
【０００３】
ＷＯＳ周波数計画とは、幾つかの互いに相容れない目標を考慮しなければならない。これらには、システムが外部公衆システムを乱すべきではなく、システムは常に利用可能な動作周波数を持つべきであり、動作と維持は、簡単であるべきであるということが含まれる。
本発明は、新しく簡単な方法で上記問題の１つ以上を克服することに関する。
【０００４】
（発明の要約）
本発明によれば、適用周波数割り当て装置及び方法は、プールされた資源として使用される周波数となるべきもっとも干渉の少ない周波数を割り当てて他のシステムと干渉の可能性有る周波数の使用を防止する。
概括的には、プールされた周波数を用い、複数のトランシーバを有する無線オフィス装置において、利用可能な無線周波数のどれが使用される無線通信用のプールした資源として使用されるべきかを自動的に割り当てる方法が提供される。無線周波数ごとに干渉レベルが決定される。選択閾値より上の干渉レベルを有するいかなる無線周波数も放棄される。無線オフィス装置で前記複数のトランシーバのどれかによりプールされた資源として使用される割り当て周波数として最低の干渉レベルを有する残りの使用可能な無線周波数が選択される。
【０００５】
本発明の特徴は、前記無線周波数の各々ごとに受信信号強度を測定することである。干渉レベルは、空きの無線周波数についてのみ決定される。
本発明の他の特徴は、前記干渉値をフィルタリングすることである。特に、フィルタリングされた干渉値は、長短の時定数を持つ低域フィルタ値を使用して決定される。無線周波数が選択閾値より上のフィルタリングされた干渉値を有する場合には、無線周波数は、放棄される。フィルタリングした最低の干渉値を有する無線周波数は、割り当て周波数として選択される。
また、本発明の他の特徴は、前記干渉値が前記選択閾値より上に有る量に依存する時間期間の間前記無線周波数を放棄することである。前記チャネル周波数が放棄された後に、前記干渉値が前記選択閾値より上に残っている場合に前記時間期間が延長される。
【０００６】
本発明のさらに他の特徴は、割り当て周波数の干渉値が受け入れ可能な干渉閾値より上に有る場合にのみ割り当て周波数が他の使用可能な無線周波数と置換されるということである。
本発明のさらに他の特徴は、より低い干渉値を有する他の利用可能なチャネル周波数とのみ割り当て周波数が置換されるということである。
本発明のさらに他の特徴は、制御チャネル周波数として使用される候補として前記割り当て周波数のうちの選択したものを指定することである。前記候補間で任務遂行制御チャネルは、周期的に交代される。前記候補は、最低の干渉値を有する割り当て周波数から選択される。前記任務遂行制御チャネルは、ラウンドロビン方法（round robin manner）で交代される。
【０００７】
本発明の他の態様によれば、無線オフィス装置の自動周波数割り当て装置が開示される。この自動周波数割り当て装置は、複数の利用可能な無線周波数の各々ごとの干渉レベルを決定する測定手段を有している。複数のトランシーバは、割り当て無線周波数のうちの任意のものを用いて移動局と通信を行う。周波数割り当て器は、前記測定手段と前記複数の基地局とに作動接続されて、選択閾値より上の干渉レベルを有する任意の無線周波数を放棄する第１の論理手段を有している。第２の論理手段は、前記複数のトランシーバのうちの任意のものによりプールされた資源として使用されるべき割り当て周波数として最低の干渉レベルを有する残りの使用可能な無線周波数を選択する。
【０００８】
特に、適用周波数割り当て装置及び方法は、トラフィックチャネルと制御チャネル用に使用される無線オフィス装置用の１組の周波数を発見し、これを維持する。これらの割り当て周波数は、無線オフィス装置で全てのトランシーバ及び基地局に共通のプールされた資源である。この方法及び装置は、割り当て周波数に対し干渉が最も少ない周波数を割り当てて、他の無線通信装置と干渉の可能性のある周波数をその割り当て周波数から除去することによって、その干渉の可能性有る周波数を無線オフィス装置が使用するのを防止する。受信信号強度の測定は、空きの周波数を監視するために使用される。ビットエラー率及び信号強度の測定は、使用中の周波数の監視のために使用される。
本発明の更なる特徴及び利点は、明細書及び図面から容易に明らかになる。
【０００９】
（実施例の詳細な説明）
図１において、一般化したブロック線図は、本発明による適用周波数割り当て（ＡＦＡ）装置と方法を使用する無線オフィス装置（ＷＯＳ）１０の形をした無線通信装置を示す。ＷＯＳ１０は、戸外の、すなわち、公衆セルラシステムと周波数スペクトルを共有する。
【００１０】
ＷＯＳ１０は、ケーブル１６を介して複数の無線中枢部すなわち基地局１４（その２つが図示）及び複数のスキャナ１５（その２つが図示）に接続されたセルラ無線交換器１２を有している。一般的なＷＯＳは、３２個程の無線中枢部１４と２個ないし４個のスキャナ１５を有するであろう。セルラ無線交換機１２は、線１７を介して移動サーバ１８に接続され、この移動サーバ１８は、構内交換機（ＰＢＸ）２０に接続されている。ＰＢＸ２０は、公衆切り替え電話ネットワーク（ＰＳＴＮ）２２から呼び出しを受け、又、呼び出しをこれに送る。移動サーバ１８は、公衆陸上移動ネットワーク（ＰＬＭＮ）２４にも接続されている。従って、セルラ無線交換機１２は、複数の無線中枢部１４と、移動局２６、２８、３０により示される種々の無線通信装置とＰＳＴＮ２２又はＰＬＭＮ２４の間の無線接続を制御し調整する。それら移動局は、ＰＬＭＮ２４の１部であるセルラ基地トランシーバ局（ＢＫＳ）３２と通信する移動局３０により示されるが、セルラ公衆ネットワークと直接通信するようにされている。
【００１１】
本明細書にわたり使用される用語の理解を容易にするために次の定義を与える：
ＡＦＡ                割り当て周波数を発見し維持する適用周波数割り当て
（Adaptive Frequency Allocation）機能。
割り当て周波数        トラフィックとＤＣＣＨ（周波数のプール）を呼び出す
ためＷＯＳが現在使用する周波数の組。
禁止周波数            オペレータが禁止されたものと手動的に定義した周波数
。これらはＷＯＳにより使用され得ない。
ＢＥＲ                ビットエラー率（Bit Error Rate）。
ＢＴＳ                基地トランシーバ局（Base Transceiver Station）。
【００１２】
ＣＲＥ                セルラ無線交換機（Cellular Radio Exchange）
（１２）、ＷＯＳシステムにおける物理的ノード。
ＣＲＥは、無線インフラストラクチャにおける中心ノー
ドである。ＡＦＡ用のフィルタリング及び機能の大部分
は、ＣＲＥに配置されている。
ＤＣＣＨ              デジタル制御チャネル（Digital Control Channel）。
ＤＴＣ                デジタルトラフィックチャネル。
ＦａｓｔＬＰＩＳＨ    短い時定数を持つ低域フィルタでフィルタされたＩＳＨ
。
干渉周波数            外部干渉のために一時的に放棄された周波数。
これらは、プリセット時間が終わるまでは、ＷＯＳによ
り使用され得ない。
【００１３】
ＩＳＨ                スキャナからの干渉値（Interference value from a
Scanner）。
ＰＯＦ                専用動作周波数（Private Operation Frequency）。
ＲＨ                  無線中枢部（Radio Head）は、移動局およびアップリン
ク走査受信機と通信するため複数のトランシーバ（ＴＲ
Ｘ）を有していて、ＣＡＴ５ケーブルを介してＣＲＥに
接続してもよい。
ＲＳＳ                受信信号強度（Received Signal Strength）。
ＲＳＳＩ              受信信号強度表示器。
【００１４】
スキャナ              スキャナ１５は、専用アップリンクとＡＦＡにより使用
される受信信号強度（ＲＳＳ）を測定するダウンリンク
走査受信器を有している。
選択可能周波数        割り当て周波数には現在存在しないが、割り当て周波数
に選択可能な周波数。
ＳｌｏｗＬＰＩＳＨ    長い時定数を持つ低域フィルタでフィルタしたＩＳＨ。
使用可能周波数        割り当てられた選択可能な周波数の結合。これらの周波
数は、ＷＯＳによる使用については容認可能である。
【００１５】
無線セルラ通信の場合、数多くの無線周波数は、ＷＯＳ１０とＰＬＭＮ２４の両方による使用については利用可能である。ＰＬＭＮ２４は、公知のように、各ＢＴＳ３０に選択周波数を割り当てる。本発明によるＷＯＳ１０は、プールした資源として使用される選択周波数を割り当てるＡＦＡ機能を使用する。結果として、複数の無線中枢部１４は、互いに干渉しないとすれば同一周波数で同時に通信することができる。
【００１６】
ここに開示したＡＦＡ機能は、上記の互いに競合する目標を達成する数多くの要件を満足するよう設計されている。特に、ＡＦＡ機能は、最も干渉の少ない周波数で常に動作し、外部システムに対する妨害を最小にするようにしてある。ＡＦＡ機能は、割り当て周波数の組における充分な数の周波数を所有しようと試みる。そうでなければ、警報を発生することができる。公衆システムが再度同調した後のように、干渉が変化すると、ＡＦＡ機能は迅速に順応する。全ての周波数がバイアス回避のために同様な仕方で評価される。ダウンリンクは、最も干渉されるリンクであるので、少なくともアップリンクと同様に慎重に測定される。
【００１７】
外部の無線環境が安定していると、ＡＦＡ機能も安定し、周波数を変化させない。ＡＦＡ機能は、ＤＣＣＨ周波数とＤＴＣ周波数の両方に加えられる。顧客のために設定されるべきパラメータの数は、最小にされる。最少数の絶対閾値が使用される。代わりに、ＡＦＡ機能は、絶対干渉レベルようもむしろ最も干渉を受けにくい周波数を利用する。測定周波数の相対値は、絶対測定を使用する場合よりも測定した装置の配置及び性能に依存する度合いは、一層少ない。これらの要件を満足するために、無線オフィス装置１０の構成には、適切な測定値をＡＦＡアルゴリズムに供給する専用のアップリンク/ダウンリンクスキャナが含まれる。
【００１８】
本発明によるセルラ無線交換機１２は、プログラムした処理システムを有している。この処理システムは、特性が従来のものであって、公知であるので、ここでは特に示さないマイクロプロセッサ又はデジタル信号プロセッサのような中央処理装置及び関連するメモリを有している。この処理システムで実行されるＡＦＡ機能は、スキャナ１５から得たＲＳＳ測定値を集めてフィルタし、それらのフィルタした測定値に基づいて周波数の割り当て決定をするアルゴリズムを使用する。このアルゴリズムは、割り当て周波数の組から周波数を除去して、これらの周波数を割り当て周波数の組に再度設定するように操作される。この割り当て周波数の組は、次に無線中枢部１４のトランシーバにより、プールした資源として使用される。
【００１９】
スキャナ１５は、３つの走査受信器３６、３７、３８を有している（図２）。走査受信器３８は、アップリンク受信用であり、走査受信器３６と３７は、ダウンリンク受信用である。２つのダウンリンク受信器は、ダイバーシティのために使用される。これらの走査受信器３６、３７、３８は、ＡＦＡ機能により使用されるＷＯＳ動作周波数帯を走査する。これら３つの走査受信器３６、３７、３８の各々は、５０２個の周波数（これは周波数帯の最大サイズである、すなわち、１９００Ｂ）までに関しＲＳＳを測定する。走査サイクル中、各走査受信器３６、３７、３８は、単一の未同期化の外部移動端末を正しく測定するための周波数について充分なサンプルを得る。５０２個の周波数までの測定サイクルを行うには、スキャナ１５は、２０秒未満の時間を必要とする。従って、プログラム可能な走査時間は、約２０秒であるように選択される。
最小２個のスキャナ１５は、一方が故障するという有りそうもない事態でのＷＯＳ１０を保護するためにあったほうが良い。
【００２０】
各走査受信器３６ないし３８は、ＣＲＥ１２に対して動作周波数帯の各周波数のそれぞれの干渉値ＩＤＬ１、ＩＤＬ２及びＩＵＬを報告する。干渉値ＩＳＨは、アップリンク受信機３８からの干渉値ＩＵＬの最大値及びそれぞれのダウンリンク受信器３６、３７からの干渉値ＩＤＬ１、ＩＤＬ２を表す。全てのスキャナ１５がＣＲＥ１２に報告した後、ＣＲＥ１２は、新しいＩＳＨ値のスキャナ数×走査した周波数の数を有する。同時に、ＣＲＥ１２は、走査サイクル中どの周波数が使用されていたかを追跡し、その走査サイクル中空きであった周波数についてのＩＳＨ値のみが保持される。これらは、空きＩＳＨ値と呼ぶことにする。各スキャナ１５毎に、ＣＲＥ１２は、空きＩＳＨ値を別々のフィルタに供給する。
【００２１】
第１の低域フィルタは、短い時定数を有している。この値は、例えば、約４０秒であってもよい。第２の低域フィルタは、例えば、約１時間の長い時定数を有している。フィルタ値は、走査サイクル中使用されていた周波数については更新されない。第１の低域フィルタからの出力は、ここでは、ＦａｓｔＬＰＩＳＨと呼ぶことにし、第２の低域フィルタからの出力は、ＳｌｏｗＬＰＩＳＨと呼ぶことにする。明らかなように、他の種類のフィルタ及び時定数を使用することができる。
図３に示したように、ＣＲＥ１２は、上記の干渉測定値を持つフィールドのマトリックスを有している。各周波数フィールドは、ＩＳＨ値、ＳｌｏｗＬＰＩＳＨ値及びＦａｓｔＬＰＩＳＨ値を有している。
【００２２】
ＡＦＡ機能は、２つの部分からなるアルゴリズムを利用する。図４で、その第１の部分は、組５２と表現した使用可能な周波数から組５０と表現した干渉周波数を除去する。その使用可能な周波数は、組５４と表現した割り当て周波数と組５６と表現した選択可能周波数の結合を有している。第２のアルゴリズムは、最良の選択可能周波数を割り当て周波数の組５４内に再度設定する。干渉を受ける時に周波数を放棄する反応時間は、干渉が止んだ後に周波数を再度設定するための時間よりも一層短い。特定の周波数は、組５８と表現された禁止周波数と指定してもよい。更に、一定の組の周波数は、ＤＣＣＨを含めて割り当て周波数の組５４に手動で割り当てることができる。これらの周波数は、非揮発性のものである。周波数の手動割り当ては、本発明の１部ではない。本発明による適用周波数の割り当ては、更に詳しく以下に述べる。
【００２３】
ＡＦＡ機能は、干渉周波数の使用を避けるために戸外システムからの干渉のチェックを行う。反応時間と呼ぶことにする規則的な期間で、動作周波数における全ての周波数に関するＦａｓｔＬＰＩＳＨ値は、評価される。反応時間は、約４０秒であってもよい。干渉周波数は、一時的には放棄される。タイマは、干渉値に依存して設定される。そのタイマ値は、干渉周波数が再び選択可能となるまでにはどの位の時間があるかを示す。
【００２４】
図６で、フロー図は、空き周波数を放棄するためにＣＲＥ１２で実施される論理シーケンスを示す。開始ノード６０から、決定ブロック６２は、反応期間の時間が来たか否かを判別する。もし来ていない場合、論理は、終了ノード６４へ進む。もし反応すべき時間であれば、ブロック６６は、各空き周波数毎に全てのスキャナから最大のＦａｓｔＬＰＩＳＨ値を取り、各値を変数Ｘとして記憶する。もし最大のＦａｓｔＬＰＩＳＨ値が２つの異なる閾値レベルＬ１、Ｌ２（図５参照）より大きい場合、その干渉値は閾値を越え、タイマは更新される。タイマは、干渉周波数が再び使用に関し利用可能となる時を示すために使用される。タイマは、下記のように、干渉条件が残らなければ、通常の方法でデクリメントされる。
【００２５】
決定ブロック６８は、値Ｘがレベル１の閾値Ｌ１以上か、レベル２の閾値Ｌ２より小さいかを判別する。もしそうであれば、タイマは、ブロック７０で第１の時間ペナルティ値Ｔ１の最大値か、又は現在のタイマ値に設定される。決定ブロック６８の条件が満足されない場合、決定ブロック７２は、値ＸがＬ２以上かを判別する。もしそうならば、タイマは、最大第２の時間ペナルティ値Ｔ２又は現在のタイマ値にブロック７４で設定される。もしそうでなく、最大のＦａｓｔ  ＬＰＩＳＨ値がいずれかの閾値よりも大きくない場合、タイマは、その現在値のまま残る。
【００２６】
ブロック７０、７２又は７４のいずれかから、決定ブロック７８は、タイマ値がゼロより大きいかを決定する。もしそうでなければ、決定ブロック８０は、特定周波数が放棄周波数と現在示されているかを判別する。もしそうであれば、制御は、ブロック８２で選択可能周波数の組５６に移動され、ルーチンは終了する。もしタイマ値が決定ブロック７８で決定されるがゼロより大きい場合、決定ブロック８４は、特定周波数が現在使用可能な周波数であるかを判別する。もしそうでなければ、ルーチンは終了する。もしそうであれば、周波数は、ブロック８６で干渉周波数の組５０に移動され、ルーチンは終了する。明らかに、もし周波数が他の組に移動されない場合、周波数はその前の状態に留まり、遅延時間は更新し得る。
【００２７】
本発明によれば、第１の閾値Ｌ１は、約−１０５ｄＢｍであってもよく、第２の閾値Ｌ１は、約−８８ｄＢｍであってもよい。第１の時間ペナルティＴ１は、約４５分であってもよく、第２の時間ペナルティＴ２は、約７時間であってもよい。これらの値は、例として示しただけであり、使用される特定値は、特定システムの要件に従って決定してもよい。又、２組より多いか少ない閾値と時間ペナルティ値を使用することができる。
【００２８】
従って、図６の論理シーケンスを利用して、もし周波数がゼロより大きいタイマ値を有していて利用可能周波数の組５２にある場合（図４参照）、周波数は、干渉周波数の組５０に移動される。これは、もしその周波数が割り当て周波数の組５４にあって使用されている場合には、強制的な無線中枢部内ハンドオフを開始する。ＷＯＳシステム１０の能力は、減少されてもよいので、割り当て周波数の組５４の大きさが最小の大きさを割り当てられた組よりも小さい場合には異常が報告される。この論理シーケンスで、タイマ値は、図５に示したように、周波数が禁止され又は干渉される場合には、連続的に更新される。このことは、周波数が放棄された後に干渉が検出されたならば、時間期間は延長されるということを意味する。換言すれば、最大値のＦａｓｔＬＰＩＳＨ値がそれぞれの閾値Ｌ１とＬ２より小さくなった後に、選択時間期間Ｔ１又はＴ２まで周波数は選択可能周波数の組５６には戻されない。
【００２９】
上記のように、スキャナの測定値は、無線オフィス装置１０で現在使用されている周波数では使用されない。その代わり、ＡＦＡ機能は、高ＢＥＲによりトリガされる無線中枢部内ハンドオフを間接的に使用する。各継続コールでは、ＢＥＲとＲＳＳＩがアップリンク及びダウンリンクについて監視される。もしＲＳＳＩが他の閾値よりも良好となると同時にＢＥＲが閾値を超えると、ＲＨ内ハンドオフは割り当て周波数の組５４内の他の周波数で干渉の最も少ないＤＴＣに対しなされる。もしコールがトラフィック周波数を去ると、その周波数は空きとなり、スキャナにより継続して測定され、もし図６の論理シーケンスに従って依然として干渉される場合には放棄される。
【００３０】
周期的に、再設定時と呼ぶことにする時には、最も少なく干渉を受ける周波数は、割り当て周波数の組５４に再設定される。再設定時は、例えば、約３０分であってもよい。図７のフロー図は、周波数の再設定の論理シーケンスを示す。開始ノード９０から、決定ブロック９２は、それが再設定であるかを決定する。そうでなければ、制御は終了ノード９４に進む。もしそうであれば、ブロック９６で使用可能な周波数、すなわち、割り当てられた選択可能周波数は、全てのスキャナの最大ＳｌｏｗＬＰＩＳＨ値に基づいて分類される。決定ブロック９８は、現在の割り当て周波数の組５４からの最大ＳｌｏｗＬＰＩＳＨ値と受け入れ可能な干渉閾値とを比較する。受け入れ可能な干渉閾値は、例えば、約−１１０ＤＢＭであってもよい。その閾値より低い干渉値を持つ割り当て周波数は、充分良好であると考えられるので置換されない。
【００３１】
これにより、外部干渉の小さな変化に原因する不必要なシステム応答は減少される。せいぜい、干渉値が閾値より大きくない場合、任意のこの周波数は、ブロック１００で割り当て周波数として保持され、ルーチンは、終わる。もし干渉値がその閾値より大きいと、決定ブロック１０２は、選択可能周波数の中に充分により良い周波数があるかを判別する。このアルゴリズムは、割り当て周波数をわずかに良好な選択可能周波数で置換するのを避けるためのヒステリシスを使用する。割り当て周波数の組５４の周波数は、より良い周波数と交換してもよく、これにより強制的な無線中枢部内ハンドオフをもたらすことができるであろう。一回の評価で交換される周波数の数は、有限であってもよい。もしより良い選択周波数が存在する場合、周波数は、ブロック１０４で交換され、ルーチンは終了する。
【００３２】
ＤＣＣＨ周波数は、常に使用されているので、ＣＲＥ１２は、現在のＤＣＣＨ周波数に関しスキャナ３４から有効な測定値は得られない。本発明によれば、ＣＲＥ１２は、ＤＣＣＨ候補と呼ぶことにする多くの周波数の間で任務遂行ＤＣＣＨを交代する。これにより、ＣＲＥ１２は、全ての周波数を対等で測定可能となる。ＤＣＣＨは、常に割り当て周波数の組５４の１部である。
【００３３】
任務遂行ＤＣＣＨは、もし交換が可能となる場合、ＤＣＣＨ交換時間にＤＣＣＨの候補と交代される。もしＤＣＣＨ候補が通常の放棄処理により、割り当て周波数の組５４から除去されていると（図６参照）、新しい候補ＤＣＣＨが再度選択されて、ラウンドロビンリスト（round robin list）内の最後に置かれる。最低のＳｌｏｗＬＰＩＳＨ値を有するＤＴＣ周波数は、ＤＣＣＨ候補の代わりに再度選択される。その候補ＤＣＣＨは、任務遂行ＤＣＣＨとなるために、最長時間待たなけらばならない。これにより、無線オフィス装置１０内でＤＣＣＨとして使用される、ＴＩＡＩＳ−１３６空気インターフェイス基準で定義されているＰＯＦで移動端末が常に最新のものである確率が増大される。
【００３４】
ＤＣＣＨ候補は、好ましい隣人のＤＣＣＨリストで放送されるＷＯＳの隣人セルメッセージにある。移動局２６のような移動局は、候補ＤＣＣＨをＰＯＦとみなす。これにより、移動局内のＰＯＦとしては記憶されない周波数にＤＣＣＨが再同調されるために、端末がＷＯＳを発見しない危険性は最小にされるであろう。
【００３５】
図８において、フロー図は、ＤＣＣＨ周波数とＤＣＣＨ候補を選択し除去するための適用アルゴリズムの論理シーケンスを示す。論理は、開始ブロック１１０で始まる。決定ブロック１１２は、再度設定する時であるかを判別する。もしそうでなければ、制御は、終了ノード１１４に進む。もしそうであれば、決定ブロック１１６は、ＤＣＣＨ候補の組が満杯であるかを判別する。上記のように、もしＤＣＣＨ候補が放棄されるか、または何らかの他の理由でその組が満杯でない場合、その組は、ブロック１１８でもっとも干渉の少ない割り当て周波数で満たされる。次に決定ブロック１２０は、ＤＣＣＨ交換時間であるかを判別する。もしそうでなければ、ルーチンは終了する。もしそうであれば、ブロック１２２は、ラウンドロビン方式で候補者の組から候補ＤＣＣＨで任務遂行ＤＣＣＨを交代する。次に、ルーチンは終了する。この交代により、古いＤＣＣＨ周波数の他のタイムスロットに無線中枢部内のハンドオフが強制され、この交代は、無線中枢部１４に空きの送信機が存在せず、無線中枢部１４が新しいＤＣＣＨ周波数に常に送信機を同調させるとは限らない場合にのみ、必要とされる。新しいＤＣＣＨ周波数で第１のタイムスロットにコールがあると、無線中枢部内ハンドオフがそのタイムスロットをクリアするために行われる。
【００３６】
任務遂行ＤＣＣＨ周波数を含む候補ＤＣＣＨ周波数は、好ましい隣人としてのＷＯＳの隣人セルリスト内に含まれる。この隣人のセルリストは、ＤＣＣＨ候補周波数の変化で最新のものに保たれる。
したがって、本発明によれば、ＡＦＡ機能は、割り当て周波数の組に干渉のもっとも少ない周波数を割り当てて、その割り当て周波数の組から他のシステムと干渉する可能性ある周波数を除去することによってこれら周波数をその無線オフィス装置が使用するのを防止する。
【図面の簡単な説明】
【図１】  本発明による適用周波数割り当て方式を使用する無線通信システムの一般化したブロック線図。
【図２】  図１のスキャナのブロック線図。
【図３】  図１の無線通信システムで実施される測定機能のグラフ表示。
【図４】  周波数状態と状態間の遷移を示す状態図。
【図５】  本発明による周波数の放棄と再設定の例を示すタイミング図。
【図６】  空きのトラフィック周波数放棄の論理シーケンスを示すフロー図。
【図７】  本発明による周波数再設定の論理シーケンスを示すフロー図。
【図８】  本発明による制御チャネル周波数とその候補の選択除去の論理シーケンスを示すフロー図。
【図１】
0004663936.tif 000002
【図２】
0004663936.tif 000003
【図３】
0004663936.tif 000004
【図４】
0004663936.tif 000005
【図５】
0004663936.tif 000006
【図６】
0004663936.tif 000007
【図７】
0004663936.tif 000008
【図８】
0004663936.tif 000009